【事件の表示】
　特願２０１３−　４７７９２号「遊技機」拒絶査定不服審判事件〔平成２６年　９月２２日出願公開、特開２０１４−１７１７２３号〕について、次のとおり審決する。
【結　論】
　本件審判の請求は、成り立たない。
【理　由】
 第１　手続の経緯 
　本願は，平成２５年３月１１日付けで出願され、平成２６年１１月２７日付けで拒絶理由通知がなされ，平成２７年１月２２日に手続補正がなされたが，平成２７年８月４日付けで拒絶査定がなされ，これに対して，平成２７年１１月９日に拒絶査定不服審判が請求されるとともに手続補正（以下、本件補正という）がなされ、これに対して平成２７年１２月４日付で前置報告がなされたものである。 
 　 
第２　平成２７年１１月９日の手続補正の補正却下の決定について 
 　 
［補正却下の決定の結論］ 
 　 
　平成２７年１１月９日の手続補正を却下する。 
 　 
［理由］ 
　１．本件補正の概要
　本件補正は特許請求の範囲の請求項１の記載の補正を含む補正であり、平成２７年１月２２日付け手続補正と本件補正の特許請求の範囲の請求項１の記載はそれぞれ以下のとおりである（下線は審判請求人が審判請求時に付した補正箇所を示す）。
　補正前（平成２７年１月２２日付け手続補正）
「　【請求項１】
　遊技球が入球可能な始動領域と、
　遊技球が入賞不能な態様から入賞可能な態様に変化可能な変動入賞装置と、
　前記変動入賞装置内に設けられた特定領域と、
　前記始動領域への遊技球の入球を契機に、少なくとも第１特別遊技、第２特別遊技、または第３特別遊技の何れかに当選したか否かの判定を行う特別遊技判定手段と、
　前記特別遊技判定手段において前記第１特別遊技乃至第３特別遊技の何れかに当選したと判定されたときに特別遊技を実行する特別遊技実行手段と、
　少なくとも通常遊技状態よりも遊技者に有利な特定遊技を付与する特定遊技付与手段と、
　演出制御を行う演出制御手段と、を備え、
　前記第１特別遊技は、前記変動入賞装置に遊技球が入賞可能な開放態様で且つ前記変動入賞装置の開放動作中に遊技球が前記特定領域を通過したときは、前記変動入賞装置の開放動作終了後に前記特定遊技を付与する遊技であり、
　前記第２特別遊技は、前記変動入賞装置に遊技球が入賞可能な開放態様で且つ前記変動入賞装置の開放動作終了後に前記特定遊技を付与しない遊技であり、
　前記第３特別遊技は、前記変動入賞装置に遊技球が入賞可能な開放態様で且つ前記変動入賞装置の開放動作前後で遊技状態が変化しない遊技であり、
　前記演出制御手段は、前記特別遊技実行手段により前記第２特別遊技または前記第３特別遊技を実行する際には、同一または類似演出を実行することを特徴とする遊技機。」
　補正後（本件補正である平成２７年１１月９日付け手続補正）
「　【請求項１】
　遊技球が入球可能な始動領域と、
　遊技球が入賞不能な態様から入賞可能な態様に変化可能な変動入賞装置と、
　前記変動入賞装置内に設けられた特定領域と、
　前記始動領域への遊技球の入球を契機に、少なくとも第１特別遊技、第２特別遊技、または第３特別遊技の何れかに当選したか否かの判定を行う特別遊技判定手段と、
　前記特別遊技判定手段において前記第１特別遊技乃至第３特別遊技の何れかに当選したと判定されたときに特別遊技を実行する特別遊技実行手段と、
　少なくとも通常遊技状態よりも遊技者に有利な特定遊技を付与する特定遊技付与手段と、
　演出制御を行う演出制御手段と、を備え、
　前記第１特別遊技は、前記変動入賞装置に遊技球が入賞
し易い
且つ前記
　前記第２特別遊技は、前記変動入賞装置に遊技球が入賞
し易い
　前記第３特別遊技は、前記変動入賞装置に遊技球が入賞
し易い
　前記演出制御手段は、前記特別遊技実行手段により前記第２特別遊技または前記第３特別遊技を実行する際には、同一または類似演出を実行することを特徴とする遊技機。」
　２．補正の適否
　（１）補正事項
　本件補正により、
ア　請求項１に記載された発明特定事項である「第１特別遊技」について、
　「変動入賞装置の開放動作中に遊技球が前記特定領域を通過したときは、前記変動入賞装置の開放動作終了後に前記特定遊技を付与する」を、
　「変動入賞装置の開放動作終了後に前記特定遊技を付与する」に補正（以下、補正事項１という）するものであり、
イ　請求項１に記載された発明特定事項である「第１特別遊技」「第２特別遊技」「第３特別遊技」について、
　「変動入賞装置に遊技球が入賞可能な開放態様」を、
　「変動入賞装置に遊技球が入賞し易い開放態様」に補正（以下、補正事項２という）するものであり、
　（２）補正の目的、新規事項について
　ア　まず、補正事項２について検討する。
　出願時の本願の特許請求の範囲には当該補正事項の根拠として以下の記載がある。
「前記第２特別遊技は、前記特定領域に遊技球が入賞し易い開放態様で且つ前記時短遊技を付与する特別遊技であり、
　前記第３特別遊技は、前記特定領域に遊技球が入賞し易い開放態様で且つ前記時短遊技を付与しない特別遊技であり、
　前記第４特別遊技は、前記特定領域に遊技球が入賞し易い開放態様で且つ特別遊技前後で遊技状態が変化しない特別遊技であり、                   　
　前記演出制御手段は、前記特別遊技実行手段により前記第３特別遊技または前記第４特別遊技を実行する際には、同一または類似演出を実行することを特徴とする遊技機。」
　この補正事項の根拠の記載からすると、補正事項２については、願書に最初に添付した明細書、特許請求の範囲又は図面に記載した事項の範囲内においてなされており、特許法第１７条の２第３項の規定に適合するものであるといえる。
　また、補正事項２については、「入賞可能な開放態様」、すなわち、少なくとも入賞し易い開放態様に加え、それ以外の入賞し難い開放態様等の開放態様を含む開放態様から、「入賞し易い開放態様」に限定したものということができ、特許法第１７条の２第５項第２号の特許請求の範囲の減縮(請求項に記載した発明を特定するために必要な事項を限定するものであって、その補正前の当該請求項に記載された発明とその補正後の請求項に記載された発明の産業上の利用分野及び解決しようとする課題が同一であるもの)を目的とするものであるといえる。
　イ　次に、補正事項１について検討する。
　補正事項１は、「第１特別遊技」について、特定遊技を付与する条件を、「変動入賞装置の開放動作中に遊技球が特定領域を通過したときは、変動入賞装置の開放動作終了後」から、「変動入賞装置の開放動作終了後」に補正するものであり、「変動入賞装置の開放動作中に遊技機が特定領域を通過したとき」という条件を課さないようにしたものである。
　そうすると、補正事項１は、特許請求の範囲を拡張するものであって、特許法第１７条の２第５項第２号の特許請求の範囲の減縮(請求項に記載した発明を特定するために必要な事項を限定するものであって、その補正前の当該請求項に記載された発明とその補正後の請求項に記載された発明の産業上の利用分野及び解決しようとする課題が同一であるもの)を目的とするものではなく、特許法第１７条の２第５項第１号の請求項の削除を目的とするものでも、特許法第１７条の２第５項第３号の誤記の訂正を目的とするものでもなく、特許法第１７条の２第５項第４号の明りょうでない記載の釈明（拒絶理由通知に係る拒絶の理由に示す事項についてするもの）を目的とするものでもなく、本件補正は、特許法第１７条の２第５項の規定に適合するものではない。
　３．むすび
　したがって、本件補正は，特許法第１７条の２第５項に規定する要件に違反するものであり，同法第１５９条第１項で読み替えて準用する同法第５３条第１項の規定により却下されるべきものである。
第３　本願発明について 
　　本件補正（平成２７年１１月９日付け手続補正）は、上記第２のとおり却下されたので、本願の請求項１に係る発明（以下、「本願発明」という）は、平成２７年１月２２日付け手続補正により補正された、上記第２の１．で記載された事項により特定される次のとおりのものである。 
「【請求項１】 
　遊技球が入球可能な始動領域と、 
　遊技球が入賞不能な態様から入賞可能な態様に変化可能な変動入賞装置と、 
　前記変動入賞装置内に設けられた特定領域と、 
　前記始動領域への遊技球の入球を契機に、少なくとも第１特別遊技、第２特別遊技、または第３特別遊技の何れかに当選したか否かの判定を行う特別遊技判定手段と、 
　前記特別遊技判定手段において前記第１特別遊技乃至第３特別遊技の何れかに当選したと判定されたときに特別遊技を実行する特別遊技実行手段と、 
　少なくとも通常遊技状態よりも遊技者に有利な特定遊技を付与する特定遊技付与手段と、 
　演出制御を行う演出制御手段と、を備え、 
　前記第１特別遊技は、前記変動入賞装置に遊技球が入賞可能な開放態様で且つ前記変動入賞装置の開放動作中に遊技球が前記特定領域を通過したときは、前記変動入賞装置の開放動作終了後に前記特定遊技を付与する遊技であり、 
　前記第２特別遊技は、前記変動入賞装置に遊技球が入賞可能な開放態様で且つ前記変動入賞装置の開放動作終了後に前記特定遊技を付与しない遊技であり、 
　前記第３特別遊技は、前記変動入賞装置に遊技球が入賞可能な開放態様で且つ前記変動入賞装置の開放動作前後で遊技状態が変化しない遊技であり、 
　前記演出制御手段は、前記特別遊技実行手段により前記第２特別遊技または前記第３特別遊技を実行する際には、同一または類似演出を実行することを特徴とする遊技機。」 
　１．刊行物 
　（１）刊行物１に記載された発明
　一方、原査定の拒絶の理由に引用された、本願出願日前に頒布された刊行物である、特開２００８−７３１６２号公報（以下、刊行物１という）には、以下の記載がある（下線は当審にて合議体が付した。以下、同様である）。
　ア　「【０００６】
（解決手段１）
　遊技盤（遊技盤４）の前面に形成され、発射手段（発射制御装置１０４）から発射された遊技球が打ち込まれる遊技領域（遊技領域１２）と、
該遊技領域に設けられた
と
始動入賞口
に遊技球が入球したことに基づいて
遊技者に所定の利益（賞球）を付与する利益付与状態（１５Ｒ大当り遊技状態、２Ｒ大当り遊技状態、小当り遊技状態）に制御するか否かを判定する利益付与判定手段
を備え
遊技機（パチンコ機１）であって、
　前記可変表示装置を表示制御する表示制御手段（サブ統合ＭＰＵ１１１ａにより演出制御処理（ステップＳ６０２）を実行して主制御ＭＰＵ１０１ａから送信された変動パターンを指示する演出コマンドに基づいて画像表示装置４２を表示制御する部分）と、
　
前記遊技領域に配設され、遊技球の受け入れが可能な開放状態（大入賞口への遊技球の入球が可能な状態）と遊技球を受け入れが困難な閉塞状態（大入賞口への遊技球の入球が困難な状態）とに変化可能な大入賞口開閉装置（大入賞口開閉装置７５）と、
　該大入賞口開閉装置に受け入れられた遊技球を検出する大入賞口内検出手段（カウントスイッチ７５ａ）と、
　前記大入賞口開閉装置を前記開放状態に制御してからの経過時間（開放時間）を計測する計時手段（主制御ＭＰＵ１０１ａにより開放タイマをカウントダウンする部分（ステップＳ２２４））と、
　前記大入賞口開閉装置の開閉回数（ラウンドの実行回数）を計数する計数手段（主制御ＭＰＵ１０１ａにより開放カウンタをカウントダウンする部分（ステップＳ２１０、Ｓ２６６））と、
　
前記大入賞口開閉装置を開閉制御する処理（ラウンド）を複数回繰り返し実行する利益付与状態制御手段
と
　
前記利益付与判定手段によって前記利益付与状態に制御する判定がなされた場合に、
確変１５Ｒ大当り）と
（確変２Ｒ大当りＣ）と
（小当りＣ）と、のいずれかに決定する利益価値決定手段（主制御ＭＰＵ１０１ａにより特別図柄停止図柄設定処理のステップＳ１２２で付与価値決定用乱数に基づいて大当りの種類を決定する部分及び主制御ＭＰＵ１０１ａにより特別図柄停止図柄設定処理のステップＳ１２５で付与価値決定用乱数に基づいて小当りの種類を決定する部分）
を備え、
・・・ことを特徴とする
遊技機
　イ　「【００７６】
  また、この実施の形態では、
特別図柄表示器４１の４個のＬＥＤを高利益特別態様（１５Ｒ確変図柄）で点灯表示したことに基づく大当り遊技状態を実行して、大当り遊技状態の終了後に高確率状態に制御する場合には、時短状態の制御も並行して行われる
　ウ　「【０１１６】
  
主制御ＭＰＵ１０１ａは、大当りフラグがセットされていれば、付与価値決定用乱数と図１２（Ａ）に示す大当り種類決定テーブルとに基づいて大当りの種類を決定する（ステップＳ１２２）
  １．
１５Ｒ大当り遊技状態に制御し、該１５Ｒ大当り遊技状態の終了後に前記高確率状態に制御する確変１５Ｒ大当り
  ２．１５Ｒ大当り遊技状態に制御し、該１５Ｒ大当り遊技状態の終了後に前記時短状態に制御する非確変１５Ｒ大当り
  ３．１ラウンド毎の開放時間（大入賞口を開放状態に制御してから閉塞状態に制御するまでの時間）が３００ｍｓの２Ｒ大当り遊技状態に制御し、該２Ｒ大当り遊技状態の終了後に前記高確率状態に制御する確変２Ｒ大当りＡ
  ４．１ラウンド毎の開放時間（大入賞口を開放状態に制御してから閉塞状態に制御するまでの時間）が５００ｍｓの２Ｒ大当り遊技状態に制御し、該２Ｒ大当り遊技状態の終了後に前記高確率状態に制御する確変２Ｒ大当りＢ
  ５．１ラウンド毎の開放時間（
大入賞口を開放状態に制御してから閉塞状態に制御するまでの時間）が９００ｍｓの２Ｒ大当り遊技状態に制御し、該２Ｒ大当り遊技状態の終了後に前記高確率状態に制御する確変２Ｒ大当りＣ
の５種類の大当りのうちいずれかに決定し、決定した大当りの種類に応じた特別図柄の変動制御停止時の態様（特別図柄の停止図柄）に決定する（ステップＳ１２３）。
【０１１７】
  また、
主制御ＭＰＵ１０１ａは、小当りフラグがセットされていれば（ステップＳ１２４）、付与価値決定用乱数と図１２（Ｂ）に示す小当り種類決定テーブルとに基づいて小当りの種類を決定する（ステップＳ１２５）
  １．大入賞口を開放状態に制御してから閉塞状態に制御するまでの時間が３００ｍｓの小当り遊技状態に制御する小当りＡ
  ２．大入賞口を開放状態に制御してから閉塞状態に制御するまでの時間が５００ｍｓの小当り遊技状態に制御する小当りＢ
  ３．
大入賞口を開放状態に制御してから閉塞状態に制御するまでの時間が９００ｍｓの小当り遊技状態に制御する小当りＣ
の３種類の小当りのうちいずれかに決定すし、決定した小当りの種類に応じた特別図柄の変動制御停止時の態様（特別図柄の停止図柄）に決定する（ステップＳ１２６）。」
　エ　「【０１２６】
　なお
、２Ｒ大当り遊技状態が実行された場合には
小当り遊技状態の終了後には以前の遊技状態を継続する。そのため、２Ｒ大当り遊技状態の終了後に常に時短状態の制御を実行してしまうと２Ｒ大当り遊技状態が実行されたか小当り遊技状態が実行されたかを容易に判別できてしまう。
の実施の形態では、２Ｒ大当り遊技状態を終了するときに現在の遊技状態を確認し、
時短状態の制御を実行していなければ高確率状態の制御を単独で行うことにより２Ｒ大当り遊技状態が実行されたか小当り遊技状態が実行されたかを判別することを困難にする
　オ　「【０２１３】
　図２８は、演出制御処理（ステップＳ６０２）の一例を示すフローチャートである。
演出制御処理において、サブ統合ＭＰＵ１１１ａは、
プロセス処理の１つを
実行する
【０２１４】
　１．上記コマンド解析処理にて解析された特別図柄の変動パターンを指示する演出コマンド（変動パターンコマンド）に基づいて画像表示装置４２、ランプ・ＬＥＤ（１１９ａ〜１１９ｋに搭載されるＬＥＤ及び枠ランプ２７）、スピーカ１４，２９等を制御する処理などが行われる変動演出開始処理（ステップＳ７００）
　２．画像表示装置４２、ランプ・ＬＥＤ（１１９ａ〜１１９ｋに搭載されるＬＥＤ及び枠ランプ２７）、スピーカ１４，２９等の制御を開始してからの経過時間を計測し、経過時間に応じて画像表示装置４２、ランプ・ＬＥＤ（１１９ａ〜１１９ｋに搭載されるＬＥＤ及び枠ランプ２７）、スピーカ１４，２９等を制御する処理などが行われる変動演出中処理（ステップＳ７０１）
　３．上記
大当り開始コマンド及び小当り開始コマンドを受信したことに基づいて所定の表示結果を導出表示する
変動演出終了処理
【０２１５】
　４．大当り遊技状態及び小当り遊技状態の演出を実行し、大当り遊技状態及び小当り遊技状態を終了するときに変動演出開始処理が開始されるように演出制御プロセスフラグを更新する処理を行うラウンド演出処理（ステップＳ７０３）。」
　カ　「【０２１７】
　また、この実施の形態では、上記変動演出終了処理で１５Ｒ大当り（確変１５Ｒ大当り、非確変１５Ｒ大当り）に応じた大当り開始コマンド（１５Ｒ大当り開始コマンド；確変１５Ｒ大当り開始コマンド、非確変１５Ｒ大当り開始コマンド）を受信したことに基づいてサブ統合ＭＰＵ１１１ａは、画像表示装置４２、ランプ・ＬＥＤ（１１９ａ〜１１９ｋに搭載されるＬＥＤ及び枠ランプ２７）、スピーカ１４，２９等を制御して１５Ｒ大当りを開始することを報知する。一方
、上記変動演出終了処理で２Ｒ大当り
に応じた大当り開始コマンド
及び小当り
に応じた小当り開始コマンド
を受信した場合には、サブ統合ＭＰＵ１１１ａは、２Ｒ大当りであるか小当りであるかを報知することなく画像表示装置４２、ランプ・ＬＥＤ
、スピーカ１４，２９等を制御して所定の演出を実行する。そのため、遊技者は２Ｒ大当りであるか小当りであるかを判別することが困難になる。
　キ　上記アの記載から、刊行物１には
　
遊技領域に設けられた始動入賞口と、
　
前記遊技領域に配設され、大入賞口への遊技球の入球が可能な状態と大入賞口への遊技球の入球が困難な状態とに変化可能な大入賞口開閉装置７５と、
　
前記始動入賞口に遊技球が入球したことに基づいて、１５Ｒ大当り遊技状態、２Ｒ大当り遊技状態、小当り遊技状態に制御するか否か判定がなされた場合に、少なくとも確変１５Ｒ大当りと、確変２Ｒ大当りＣと、小当たりＣの遊技状態に決定する利益価値決定手段と
　
大入賞口開閉装置を開閉制御する処理を実行する利益付与状態制御手段と、
　
を備えた遊技機
が記載されているといえる。
　ク　上記アの確変１５Ｒ大当りについて、上記イの記載から、
１５Ｒ確変大当り遊技状態を実行して、大当り遊技状態の終了後に高確率状態に制御する場合は、時短状態の制御も並行して行われる
　ケ　上記アの利益価値決定手段の記載、ウの記載から、上記アの確変１５Ｒ大当り、確変２Ｒ大当りＣ、小当たりＣは、
　
大入賞口を開放状態に制御してから閉塞状態に制御する確変１５Ｒ大当り
　
大入賞口を開放状態に制御してから閉塞状態に制御する確変２Ｒ大当りＣ、
　
大入賞口を開放状態に制御してから閉塞状態に制御する小当りＣ
であることがいえる。
　コ　上記エの記載から、
　
小当たり遊技状態の終了後には以前の遊技状態を継続する
　そのため２Ｒ大当り遊技状態の終了後に常に時短状態の制御を実行してしまうと２Ｒ大当り遊技状態が実行されたか小当り遊技状態が実行されたかを容易に判別できてしまうので、
通常状態で２Ｒ大当り遊技状態が実行された場合、終了後には時短状態を付与しないように制御する
　サ　上記オ、カの記載から、
　
演出制御処理において、サブ統合ＭＰＵ１１１ａは、２Ｒ大当りに応じた大当り開始コマンド及び２Ｒ小当りに応じた小当り開始コマンドを受信した場合には、２Ｒ大当りであるか小当りであるかを報知することなく画像表示装置、ランプ・ＬＥＤ、スピーカ等を制御して所定の演出を実行することで、遊技者は２Ｒ大当りであるか小当りであるかを判別することが困難になる
　上記ア〜カの記載、及びキ〜サの認定事項を総合すると、上記刊行物１には次の発明（以下、刊行物１記載の発明）が記載されているものと認める。
　遊技領域に設けられた始動入賞口と、
　大入賞口への遊技球の入球が可能な状態と大入賞口への遊技球の入球が困難な状態とに変化可能な大入賞口開閉装置と、
　該始動入賞口に遊技球が入球したことに基づいて、少なくとも確変１５Ｒ大当りと、確変２Ｒ大当りＣと、小当りＣに決定する利益価値決定手段と、
　少なくとも前記確変１５Ｒ大当りと、前記確変２Ｒ大当りＣと、前記小当たりＣに基づいて大入賞口開閉装置を開閉制御する処理を実行する利益付与状態制御手段と、
　演出制御処理を行うサブ統合ＭＰＵ１１１ａとを備えた遊技機であって、
　確変１５Ｒ大当り遊技状態が実行された場合、大入賞口を開放状態に制御してから閉塞状態に制御し、高確率状態とともに時短状態の制御も並行して行われ、
　通常状態で確変２Ｒ大当りＣ遊技状態が実行された場合、大入賞口を開放状態に制御してから閉塞状態に制御し、終了後には時短状態を付与しないように制御し、
　小当りＣ遊技状態が実行された場合、大入賞口を開放状態に制御してから閉塞状態に制御し、以前の遊技状態を維持し、
　サブＭＰＵ１１１ａは、２Ｒ大当りに応じた大当り開始コマンド及び小当りに応じた小当たり開始コマンドを受信した場合には、２Ｒ大当りであるか小当りであるかを報知することなく画像表示装置、ランプ・ＬＥＤ、スピーカを制御して所定の演出を実行することで、遊技者は２Ｒ大当りであるか小当りであるかを判別することが困難になる、
ことを特徴とする遊技機。
　（２）刊行物２に記載された事項
　原査定において周知技術を示す文献として引用された刊行物２には以下の記載がある。
（ア）「【００２９】
　次に、役物装置１０の構造の詳細について説明する。前述したように、役物装置１０は、
遊技球の入賞が可能な通常アタッカー１６とＶアタッカー１７とを化粧枠１１に組み付けた装置であり、パチンコ機１の組み立て部品の１つとして遊技盤２に取り付けられる
（イ）「【００６１】
  中継基板４７には、電動役物開閉ソレノイド６９、通常アタッカー開閉ソレノイド７０、Ｖアタッカー開閉ソレノイド７１、および規制部材回動ソレノイド２２が接続されている。電動役物開閉ソレノイド６９は、普通当たり遊技中に第二特別図柄始動電動役物１５の開閉部材を開閉する。通常アタッカー開閉ソレノイド７０は、大当たり遊技中に通常アタッカー１６の開閉部材１６３を開閉する。Ｖアタッカー開閉ソレノイド７１は、
大当たり遊技中にＶアタッカー１７を構成する入賞部材１８の開閉部材１８３を開閉する。
　【００６２】
  また、中継基板４７には、普通図柄作動スイッチ７４、通常アタッカースイッチ７５、特定領域スイッチ７６、非特定領域スイッチ７７、および入賞部材スイッチ７８が接続されている。普通図柄作動スイッチ７４は、普通図柄始動ゲート１２を通過した遊技球を検出する。通常アタッカースイッチ７５は、通常アタッカー１６の入賞口１６１に入賞した遊技球（入賞球）を検出する。
特定領域スイッチ７６は、Ｖアタッカー１７を構成する振分部材１９の特定領域１９６を通過した遊技球を検出する。
入賞部材スイッチ７８は、Ｖアタッカー１７を構成する入賞部材１８の入賞口１８１に入賞した遊技球（入賞球）を検出する。
（ウ）「【００６８】
  
パチンコ機１では、大当たり遊技中に遊技球が特定領域１９６を通過すると、大当たり遊技終了後に「確率変動時短状態」が生起される。
。
（エ）上記（ア）から、パチンコ機１には遊技球の入賞が可能なＶアタッカー１７が取り付けられることがいえる。
（オ）上記（イ）から、大当たり遊技中にＶアタッカー１７を構成する入賞部材１８の開閉部材１８３を開閉すること、入賞部材スイッチ７８は、Ｖアタッカー１７を構成する入賞部材の入賞口に入賞した遊技球を検出することがいえる。
（カ）さらに、上記（ウ）から、大当遊技中に遊技球がＶアタッカー１７の特定領域１９６を通過すると大当たり遊技終了後に「確率変動時短状態」が生起されることがいえる。
そうすると、刊行物２には
「大当たり遊技中に入賞部材の開閉部材が開閉し、遊技球の入賞が可能であって、入賞部材スイッチにより遊技球の入賞部材の入賞口に入賞した遊技球を検出するＶアタッカーであって、大当たり遊技中に遊技球がＶアタッカーを構成する振分部材の特定領域を通過すると、大当たり遊技終了後に「確率変動時短状態」が生起されるＶアタッカーを備えたパチンコ機」
が記載されているものと認める。
　２．対比 
　本願発明と刊行物１記載の発明とを対比する。
（１）刊行物１記載の発明における「遊技領域に設けられた始動入賞口」は本願発明の「遊技球が入球可能な始動領域」に相当する。
（２）刊行物１記載の発明における「大入賞口への遊技球の入球が可能な状態と大入賞口への遊技球の入球が困難な状態とに変化可能な大入賞口開閉装置」は、本願発明の「遊技球が入賞不能な態様から入賞可能な態様に変化可能な変動入賞装置」に相当する。
（３）刊行物１記載の発明における「確変１５Ｒ大当り遊技状態」は、「大入賞口を開放状態に制御してから所定時間が経過したとき閉塞状態に制御し、高確率状態とともに時短状態の制御も並行して行われ」ることから、大入賞口に遊技球が入賞可能な開放態様とすること、大入賞口の閉塞状態すなわち開放動作終了後に時短状態を付与するものといえる。
　ここで、時短状態は通常遊技状態よりも遊技者に有利な特定遊技であることは明らかであり、時短状態を付与するための手段を備えることは自明であり、このような手段は本願発明の「少なくとも通常遊技状態より遊技者に有利な特定遊技を付与する特定遊技付与手段」に相当する。
　そうすると、刊行物１記載の発明における「確変１５Ｒ大当り」は、「変動入賞装置に遊技球が入賞可能な開放態様で」「変動入賞装置の開放動作終了後に特定遊技を付与する」という点で、本願発明の「第１特別遊技」と共通する。
（４）刊行物１記載の発明では「通常状態で２Ｒ大当り遊技状態が実行された場合、終了後には時短状態を付与しない」ようにしており、（３）においても示したとおり、時短状態は通常遊技状態よりも遊技者に有利な特定遊技であることは明らかである。
　そうすると、刊行物１記載の発明における「通常状態で実行された場合、終了後には時短状態を付与しない確変２Ｒ大当りＣ」は、「変動入賞装置に遊技球が入賞可能な開放態様で且つ変動入賞装置の開放動作終了後に特定遊技を付与しない」という点で本願発明の「第２特別遊技」に相当する。
（５）刊行物１記載の発明における「大入賞口を開放状態に制御してから所定時間が経過したとき閉塞状態に制御し、以前の遊技状態を維持」することは、本願発明の「変動入賞装置に遊技球が入賞可能な開放態様で且つ前記変動入賞装置の開放動作前後で遊技状態が変化しない」ことに相当するから、刊行物１記載の発明における「小当たりＣ」は本願発明の「第３特別遊技」に相当する。
（６）上記（３）〜（５）における刊行物１記載の発明の「確変１５Ｒ大当り」、「確変２Ｒ大当りＣ」、「小当りＣ」と、本願発明の「第１特別遊技」、「第２特別遊技」、「第３特別遊技」との対応関係を踏まえると、
刊行物１記載の「前記始動入賞口に遊技球が入球したことに基づいて、少なくとも１５Ｒ確変大当りと、確変２Ｒ大当りＣと、小当りＣに決定する利益価値決定手段」は、本願発明の「始動領域への遊技球の入球を契機に、少なくとも第１特別遊技、第２特別遊技、または第３特別遊技の何れかに当選したか否かの判定を行う特別遊技判定手段」に対応し、
刊行物１記載の「前記確変１５Ｒ大当りと、前記確変２Ｒ大当りＣと、前記小当たりＣに基づいて大入賞口開閉装置を開閉制御する処理を実行する利益付与状態制御手段」は、本願発明の「前記特別遊技判定手段において前記第１特別遊技乃至第３特別遊技の何れかに当選したと判定されたときに特別遊技を実行する特別遊技実行手段」に対応する。
（７）刊行物１記載の発明における「演出制御処理を行うサブ統合ＭＰＵ１１１ａ」は、「２Ｒ大当りに応じた大当り開始コマンド及び小当りに応じた小当たり開始コマンドを受信した場合には、２Ｒ大当りであるか小当りであるかを報知することなく画像表示装置、ランプ・ＬＥＤ、スピーカを制御して所定の演出を実行することで、遊技者は２Ｒ大当りであるか小当りであるかを判別することが困難になる」ことから、２Ｒ大当りまたは小当りを実行する際には、遊技者には判別困難な程に類似した演出を行うものといえる。
　そうすると、刊行物１記載の発明における「演出制御処理を行うサブ統合ＭＰＵ１１１ａ」は「特別遊技実行手段により第２特別遊技または第３特別遊技を実行する際には、類似演出を実行する」という点で本願発明の「演出制御手段」に相当する。
以上のことから、本願発明と刊行物１記載の発明とを比較すると、両者は、
「遊技球が入球可能な始動領域と、 
　遊技球が入賞不能な態様から入賞可能な態様に変化可能な変動入賞装置と、
　前記始動領域への遊技球の入球を契機に、少なくとも第１特別遊技、第２特別遊技、または第３特別遊技の何れかに当選したか否かの判定を行う特別遊技判定手段と、 
　前記特別遊技判定手段において前記第１特別遊技乃至第３特別遊技の何れかに当選したと判定されたときに特別遊技を実行する特別遊技実行手段と、
　少なくとも通常遊技状態よりも遊技者に有利な特定遊技を付与する特定遊技付与手段と、 
　演出制御を行う演出制御手段と、を備え、 
　前記第１特別遊技は、前記変動入賞装置に遊技球が入賞可能な開放態様な遊技であり前記変動入賞装置の開放動作終了後に前記特定遊技を付与する遊技であり、 
　前記第２特別遊技は、前記変動入賞装置に遊技球が入賞可能な開放態様で且つ前記変動入賞装置の開放動作終了後に前記特定遊技を付与しない遊技であり、 
　前記第３特別遊技は、前記変動入賞装置に遊技球が入賞可能な開放態様で且つ前記変動入賞装置の開放動作前後で遊技状態が変化しない遊技であり、
　前記演出制御手段は、前記特別遊技実行手段により前記第２特別遊技または前記第３特別遊技を実行する際には、同一または類似演出を実行することを特徴とする遊技機。」
という点で一致する。
一方、両者は以下の点で相違する。
　（相違点）
　本願発明における第１特別遊技は、変動入賞装置の開放動作中に遊技球が変動入賞装置内に設けられた特定領域を通過した時には、変動入賞装置の開放動作終了後に特定遊技を付与するのに対して、刊行物１記載の発明における第１特別遊技は、そのような特定がなされていない点。
　３．判断 
　上記相違点について判断する。 
　大当り遊技中に入賞部材の開閉部材が開閉し、入賞部材スイッチにより遊技球の入賞部材の入賞口に入賞した遊技球を検出するＶアタッカーであって、大当たり遊技中に遊技球がＶアタッカーを構成する振分部材の特定領域を通過した場合、大当たり遊技終了後に確率変動時短状態（特定遊技）が生起するＶアタッカーは例えば上記刊行物２に記載されるように周知の技術である。
　そして、大当り遊技終了後に確率変動時短状態を生起することを条件としてＶアタッカーへの入賞を必要するものも、そうでないものも、互いに周知である。
　したがって、刊行物１記載の発明における第１特別遊技に変動入賞装置に入賞した場合の動作に当該周知の技術を適用することで、大当り遊技時に変動入賞装置内の特定領域を通過すれば大当り遊技終了後に時短状態を付与する、上記相違点に係る本願発明の構成とすることは当業者が容易になし得たものである。
　そして、本願発明の作用効果は刊行物１記載の発明及び刊行物２記載の事項からみて格別なものではない。 
　よって、本願発明は、刊行物１記載の発明及び周知技術に基づいて当業者が容易にすることができたものであるから、特許法第２９条第２項の規定により特許を受けることができない。 
（付言）なお、上記「第２　平成２７年１１月９日付け手続補正の補正却下の決定について」において、補正事項１は特許法第１７条の２第５項第２号のいわゆる限定的減縮を目的とするものではなく、特許法第１７条の２第５項第１号、第３号、第４号のいずれの目的とするものでもないから、特許法第１７条の２第５項の規定を満たすものではない旨説示したが、仮に補正事項１が特許法第１７条の２第５項第２号のいわゆる限定的減縮を目的とし、本件補正が特許法第１７条の２第５項に規定する要件を満たすとしても、補正後の請求項１は以下の理由により独立して特許を受けることができない。
　すなわち、刊行物１記載の発明における「確変２Ｒ大当りＣ」は、刊行物１の段落【０１１６】記載の「確変２Ｒ大当りＡ」に比して、大入賞口の開放時間が長いことから変動入賞装置に遊技球が入賞し易いということができ、補正後の請求項１の「第２特別遊技」すなわち「変動入賞装置に遊技球が
入賞し易い
　同様に、刊行物１記載の発明における「小当りＣ」は刊行物１の段落【０１１７】記載の「小当りＡ」に比して、大入賞口の開放時間が長いことから変動入賞装置に遊技球が入賞し易いということができ、補正後の請求項１の「第３特別遊技」すなわち「変動入賞装置に遊技球が
入賞し易い
　また、上記「２．対比」の（３）における、刊行物１記載の発明における「確変１５Ｒ大当り」が補正後の請求項１の「遊技球が入賞し易い開放態様で且つ変動入賞装置の開放動作終了後に特定遊技を付与する遊技」に相当することは当業者にとって明らかである。
　そして、「変動入賞装置の開放動作中に遊技球が特定領域を通過したときは」との限定を削除した補正後の請求項１と上記刊行物１記載の発明との間に、前記２．のような相違点はない。
　そうすると、上記刊行物１記載の発明は、補正後の請求項１記載の発明と実質的に同一であるか、該特定した発明に基づき補正後の請求項１記載の発明を構成することは当業者にとって容易になし得たものであり、補正後の請求項１記載の発明は特許法第２９条第１項３号または特許法第２９条第２項の規定により独立して特許を受けることができないものである。
　４．むすび 
　以上のとおり，本願発明は，刊行物１記載の発明及び周知技術に基づいて，当業者が容易に発明をすることができたものであるから，特許法２９条２項の規定により特許を受けることができない。 
　したがって、本願は拒絶されるべきものである。 
　よって、結論のとおり審決する。